(57)【要約】【課題】  本発明は、上記問題点に鑑み、簡易な構造、かつ小さな力で可撓性の板状部材を薄肉の印刷胴表面に固定することのできる版締め装置を提供することを目的とする。【解決手段】  本発明にかかる版締め装置８は、薄肉の印刷胴３の外表面の軸線方向に形成された少なくとも１つのギャップ４と、ギャップ４内に収容され可撓性の板状部材１５の両端部を印刷胴表面に緊張するためのテンションバー９とを備え、テンションバー９に板状部材１５の咬え尻側端部１５ｂを挿入する切欠部１０が設けられた版締め装置８において、切欠部１０は、板状部材１５の咬え尻側先端部１５ｂを保持する保持面１１と、板状部材１５の咬え尻側先端部１５ｂを押し出す押出面１２とが形成されたＶ字状の横断面を有することを特徴とする。【選択図】      図２
2006175736.tif 000002
【特許請求の範囲】
【請求項１】
薄肉の印刷胴の表面の軸線方向に形成された少なくとも１つのギャップと、該ギャップ内に収容され可撓性の板状部材の両端部を該印刷胴表面に緊張するためのテンションバーとを備え、該テンションバーに前記板状部材の咬え尻側端部を挿入する切欠部が設けられた版締め装置において、
前記切欠部は、前記板状部材の咬え尻側端部を保持する保持面と、該板状部材の咬え尻側端部を押し出す押出面とが形成されたＶ字状の横断面を有することを特徴とする版締め装置。
【請求項２】
前記印刷胴の咬え尻側が板状部材の咬え尻側端部の折曲げ角度よりもわずかに大きくなるように形成されていることを特徴とする請求項１記載の版締め装置。
【請求項３】
前記印刷胴の前記テンションバー側の前記咬え尻側内側面には、傾斜面が形成されていることを特徴とする請求項１又は２記載の版締め装置。
【請求項４】
前記切欠部の前記保持面側には、傾斜部が形成されていることを特徴とする請求項１〜３のいずれか１項に記載の版締め装置。
【請求項５】
薄肉の印刷胴の表面の軸線方向に形成された少なくとも１つのギャップと、該ギャップ内に収容され可撓性の板状部材の両端部を該印刷胴表面に緊張するためのテンションバーとを備え、該テンションバーに前記板状部材の咬え尻側端部を挿入する切欠部が設けられ、前記切欠部は、前記板状部材の咬え尻側端部を保持する保持面と、該板状部材の咬え尻側端部を押し出す押出面とが形成されたＶ字状の横断面を有する版締め装置に用いられる前記可撓性の板状部材において、
前記板状部材の両端部が折り曲げられ、該咬え尻側の先端部が前記折り曲げとは逆に折り曲げられていることを特徴とする可撓性の板状部材。
【請求項６】
薄肉の印刷胴の表面の軸線方向に形成された少なくとも１つのギャップと、該ギャップ内に収容され可撓性の板状部材の両端部を該印刷胴表面に緊張するとともに、前記板状部材の咬え尻側端部を挿入する切欠部が形成されたテンションバーとを備えた版締め装置が設けられた印刷胴において、
前記切欠部は、前記板状部材の咬え尻側端部を保持する保持面と、該板状部材の咬え尻側端部を押し出す押出面とが形成されたＶ字状の横断面を有することを特徴とする薄肉の印刷胴。
【請求項７】
前記印刷胴の咬え尻側は、前記板状部材の咬え尻側先端部の描くインボリュート曲線よりも外側となるように形成されていることを特徴とする請求項６記載の薄肉の印刷胴。
【請求項８】
薄肉の印刷胴の軸線方向に形成されたギャップ内に可撓性の板状部材の端部を締付ける版締め装置において、
前記板状部材の両端部を前記ギャップ内に固定する固定手段と、
前記印刷胴の軸線方向に移動して前記固定手段を前記印刷胴の半径方向に押し上げる押上げ手段と、
前記押上げ手段を前記軸線方向に移動させる移動手段と、を備えたことを特徴とする版締め装置。
【請求項９】
前記押上げ手段は、前記ギャップ内に形成された溝部の軸線方向にわたって配置された引張ワイヤーと、
前記引張ワイヤーにより軸線方向に移動するスライドプレートと、
前記スライドプレートと軸線方向で当接するバネと、
前記引張ワイヤーに一体的に設けられるとともに、前記バネを軸線方向に押圧するブロック体と、を備えたことを特徴とする請求項８記載の版締め装置。
【請求項１０】
前記固定手段は、前記ギャップに向かって先細りとなった略三角形状に形成されるとともに、前記スライドプレートと係合して半径方向に移動することを特徴とする請求項９記載の版締め装置。
【請求項１１】
前記移動手段は、前記支持ワイヤーの一端が固定された球体と、
前記球体を収容するとともに、回転可能に形成されたガイドと、
前記ガイドの回転位置を位置決めするストッパと、を備えたことを特徴とする請求項９又は１０に記載の版締め装置。
【請求項１２】
薄肉の印刷胴の軸線方向にギャップが形成され、該ギャップ内に可撓性の板状部材の端部を締付ける版締め装置が設けられた印刷胴において、
前記板状部材の両端部を前記ギャップ内に固定する固定手段と、
前記印刷胴の軸線方向に移動して前記固定手段を前記印刷胴の半径方向に押し上げる押上げ手段と、
前記印刷胴の端部に設けられるとともに、前記押上げ手段を前記軸線方向に移動させる移動手段とを備えたことを特徴とする薄肉の印刷胴。
【発明の詳細な説明】
【技術分野】
【０００１】
本発明は、薄肉の印刷胴（スリーブ）に可撓性の板状部材を固定するための版締め装置、及びこれを備えた印刷胴、並びに版締め装置に好適に使用にされる板状部材に関するものである。
【背景技術】
【０００２】
従来の版締め装置としては、種々様々な形態の版締め装置が提案されている。例えば、特許文献１には、版胴の外周面に形成された刷版取付け溝（ギャップ）の底部に巻込み軸（テンションバー）が設けられ、この巻込み軸には、刷版咬え尻取付け用溝と刷版咬え尻取付け用溝とが形成された開口部を有している。この巻込み軸には、巻込み軸外周面に対して所定の角度をもって傾斜した傾斜面をさらに有している。この刷版咬え尻取付け用溝によって、刷版の咬え尻側折曲げ端部を咬え、巻込み軸を回転させることにより、刷版を巻込み固定する版締め装置が記載されている。
【０００３】
また、特許文献２には、オフセット印刷機の版胴に形成された版締め装置が記載されており、スリット側内側面に対して接離する咬え側端保持部がテンションバーに形成され、この咬え側端保持部によって刷版の咬え側端部のみを狭持するようにした版締め装置が記載されている。
【０００４】
また、特許文献３には、版胴の胴溝内に配置された台形横断面を有し、かつバネ負荷されている締め付け体を備え、刷版始端部を印刷胴の溝壁部と締め付け体部分との間に挿入して締め付け、刷版終端部を２分割された締め付け体の間に挿入して締め付けることにより、刷版を固定する版締め装置が記載されている。
【０００５】
【特許文献１】特開１０−１１９２４５号公報
【特許文献２】特開平９−１１４４３号公報
【特許文献３】特開昭５７−１８２４４４号公報
【発明の開示】
【発明が解決しようとする課題】
【０００６】
しかしながら、特許文献１に記載の版締め装置は、テンションバーに押圧力を与えるために、押当て部材を版胴のギャップ内に設ける必要がある。このため、版胴に押当て部材を内挿するだけの深さ（胴厚）が必要となり、版胴厚さを薄くすることができない。したがって、スリーブ胴やブランケットスリーブ等の薄肉の印刷胴には適用できないという問題があった。
【０００７】
また、刷版の咬え尻側端部をテンションバーのフック部に引っ掛けて巻き込むため、二重に刷版の咬え尻側先端部を折り曲げる必要があった。そのため、刷版の咬え尻側端部を挿入するスリット幅を広くしなければならないという問題があった。スリット幅を広くすると、スリット部とブランケット胴とが接触する際の回転衝撃が発生し、印刷物にショック目という軸線方向の縞目模様が生じ、印刷障害を引きおこすという問題があった。
【０００８】
また、特許文献２に記載の版巻込み装置は、版胴に刷版を装着する際に、刷版を巻込み軸（テンションバー）に形成された刷版咬え尻取付け用溝へ押し込んで刷版を巻込むため、巻込み軸の回動に大きな力を要していた。このため、巻込み軸にある程度の剛性を持たせる必要があり、巻込み軸を小さく形成することができないという問題があった。また、スリーブ等の薄肉の印刷胴には適用することができないという問題がった。
【０００９】
また、特許文献３に記載の刷版を固定するための装置は、締め付け体部分が押しバネによって軸中心に対して外方向に押されているため、刷版を取り外す際に締め付け体を軸中心方向へ押し下げる必要がある。このため、締め付け体を押し下げる機構が別途必要となり、スペースの少ない薄肉の印刷胴にはこのような機構を収納することができず、薄肉の印刷胴には適用できないという問題があった。
【００１０】
本発明は、上記問題点に鑑み、簡易な構造、かつ小さな力で可撓性の板状部材を薄肉の印刷胴表面に固定することのできる版締め装置を提供することを目的とする。
【課題を解決するための手段】
【００１１】
上記課題を解決するために、本発明にかかる版締め装置は、薄肉の印刷胴の表面の軸線方向に形成された少なくとも１つのギャップと、該ギャップ内に収容され可撓性の板状部材の両端部を該印刷胴表面に緊張するためのテンションバーとを備え、該テンションバーに前記板状部材の咬え尻側端部を挿入する切欠部が設けられた版締め装置において、前記切欠部は、前記板状部材の咬え尻側端部を保持する保持面と、該板状部材の咬え尻側端部を押し出す押出面とが形成されたＶ字状の横断面を有することを特徴とする。
【００１２】
また、本発明にかかる薄肉の印刷胴は、薄肉の印刷胴の表面の軸線方向に形成された少なくとも１つのギャップと、該ギャップ内に収容され可撓性の板状部材の両端部を該印刷胴表面に緊張するとともに、前記板状部材の咬え尻側端部を挿入する切欠部が形成されたテンションバーとを備えた版締め装置が設けられた印刷胴において、前記切欠部は、前記板状部材の咬え尻側端部を保持する保持面と、該板状部材の咬え尻側端部を押し出す押出面とが形成されたＶ字状の横断面を有することを特徴とする。
【００１３】
本発明によれば、テンションバーの切欠部に保持面と押出面とがＶ字状に形成されていることにより、保持面で刷版の咬え尻側端部を押えるだけで刷版を固定することができる。また、テンションバーを取付け時と逆方向に回動させることにより、押出面で咬え尻側端部をギャップから押し出すことができるため、容易に取り外しを行うことができる。
また、刷版の咬え尻側端部に引っ掛け部を形成する必要がないため、ギャップを狭く形成することができる。
【００１４】
また、本発明にかかる版締め装置において、前記印刷胴の咬え尻側が板状部材の咬え尻側端部の折曲げ角度よりもわずかに大きくなるように形成されていることを特徴とする。
【００１５】
また、本発明にかかる薄肉の印刷胴において、前記印刷胴の咬え尻側は、前記板状部材の咬え尻側先端部の描くインボリュート曲線よりも外側となるように形成されていることを特徴とする。
【００１６】
本発明によれば、印刷胴の咬え尻側が板状部材の咬え尻側端部の折り曲げ角度よりもわずかに大きく形成されている、すなわち、印刷胴の咬え尻側端が板状部材の咬え尻側端部のインボリュート軌跡よりも外側となるように形成されている。このため、板状部材の咬え尻側端部が印刷胴の咬え側に押し広げられながらテンションバーの切欠部へ挿入される。これにより、板状部材の咬え尻側端部と印刷胴の咬え尻側との間に摩擦が生じ、咬え尻側端部の挿入時に板状部材の弾性力により外れることがなく、板状部材をギャップ内に確実に緊張させることができる。
【００１７】
また、本発明にかかる版締め装置において、前記印刷胴の前記テンションバー側の前記咬え尻側内側面には、傾斜面が形成されていることを特徴とする。
【００１８】
本発明よれば、テンションバー側の咬え尻側端に傾斜面を形成したことにより、板状部材の咬え尻側端部が傾斜面と当接する箇所を支持点とし、テンションバーの切欠部の保持面を作用点とし、てこの原理を用いて印刷胴表面に板状部材を緊張することができる。
【００１９】
また、本発明にかかる版締め装置において、前記切欠部の前記保持面側には、傾斜部が形成されていることを特徴とする。
【００２０】
本発明よれば、緊張時において、テンションバーの保持面が咬え尻側端部に作用する作用点を先端側にすることができる。このため、わずかな力でテンションバーを回動させて、板状部材を固定することができる。
【００２１】
また、本発明にかかる可撓性の板状部材は、薄肉の印刷胴の表面の軸線方向に形成された少なくとも１つのギャップと、該ギャップ内に収容され可撓性の板状部材の両端部を該印刷胴表面に緊張するためのテンションバーとを備え、該テンションバーに前記板状部材の咬え尻側端部を挿入する切欠部が設けられ、前記切欠部は、前記板状部材の咬え尻側端部を保持する保持面と、該板状部材の咬え尻側端部を押し出す押出面とが形成されたＶ字状の横断面を有する版締め装置に用いられる前記可撓性の板状部材において、前記板状部材の両端部が折り曲げられ、該咬え尻側の先端部が前記折り曲げとは逆に折り曲げられていることを特徴とする。
【００２２】
本発明よれば、板状部材の咬え尻側端部の先端部が印刷胴の咬え尻側へ折り曲げられていることにより、ギャップへの挿入を容易に行うことができる。また、切欠部の保持面に対して弾性力が作用することにより、テンションバーを印刷胴の咬え尻側よりもわずかに緊張方向へ回動させるだけで、板状部材を確実に緊張することができる。
【００２３】
また、本発明にかかる版締め装置は、薄肉の印刷胴の軸線方向に形成されたギャップ内に可撓性の板状部材の端部を締付ける版締め装置において、前記板状部材の両端部を前記ギャップ内に固定する固定手段と、前記印刷胴の軸線方向に移動して前記固定手段を前記印刷胴の半径方向に押し上げる押上げ手段と、前記押上げ手段を前記軸線方向に移動させる移動手段と、を備えたことを特徴とする。
【００２４】
また、本発明にかかる薄肉の印刷胴は、薄肉の印刷胴の軸線方向にギャップが形成され、該ギャップ内に可撓性の板状部材の端部を締付ける版締め装置が設けられた印刷胴において、前記板状部材の両端部を前記ギャップ内に固定する固定手段と、前記印刷胴の軸線方向に移動して前記固定手段を前記印刷胴の半径方向に押し上げる押上げ手段と、前記印刷胴の端部に設けられるとともに、前記押上げ手段を前記軸線方向に移動させる移動手段とを備えたことを特徴とする。
【００２５】
本発明よれば、軸線方向の移動を締め付け手段により垂直方向に作用させて押当て手段により板状部材の端部を固定することにより、省スペースで設置することができる。このため、スリーブ胴等の薄肉の印刷胴にも適用することができるとともに、ギャップを小さく形成することも可能となる。したがって、ショック目などの印刷障害を抑制することのできる印刷胴とすることができる。
【００２６】
また、本発明にかかる版締め装置において、前記押上げ手段は、前記ギャップ内に形成された溝部の軸線方向にわたって配置された引張ワイヤーと、前記引張ワイヤーにより軸線方向に移動するスライドプレートと、前記スライドプレートと軸線方向で当接するバネと、前記引張ワイヤーに一体的に設けられるとともに、前記バネを軸線方向に押圧するブロック体と、を備えたことを特徴とする。
【００２７】
本発明よれば、引張ワイヤーに一体的に設けられたブロック体により、バネを介して固定手段と勾配で接したスライドプレートを軸線方向に移動させるため、わずかな力で固定手段を押し上げ、確実に刷版を固定することができる。また、バネを介在させることにより、スライドプレート等の関連部材の製作誤差等による軸線方向のずれを許容することができる。これにより、各スライドプレートにほぼ均一に押上げ力を付与することができる。
【００２８】
また、本発明にかかる版締め装置において、前記固定手段は、前記ギャップに向かって先細りとなった略三角形状に形成されるとともに、前記スライドプレートと係合して半径方向に移動することを特徴とする。
【００２９】
本発明によれば、スライドプレートと係合して押し上げられるため、スリーブ胴の回転衝撃などにより押上げ手段が緩むことがない。このため、固定手段により確実に板状部材の端部を固定することができる。
【００３０】
また、本発明にかかる版締め装置において、前記移動手段は、前記支持ワイヤーの一端が固定された球体と、前記球体を収容するとともに、回転可能に形成されたガイドと、前記ガイドの回転位置を位置決めするストッパと、を備えたことを特徴とする。
【００３１】
本発明によれば、球体が収容されたガイドを回転させることにより、引張ワイヤーを容易に軸線方向に引っ張り、又は緩ませることができる。このため、容易に固定手段を上下動させることができ、版締めにかかる作業を容易に行うことができる。
【発明の効果】
【００３２】
本発明の版締め装置、及びこれに好適に用いられる板状部材によれば、版締め装置で板状部材をわずかな力で印刷胴表面に緊張することができる。これにより、版締め装置自体を簡易な構成とすることができ、コンパクトに形成することができる。したがって、薄肉の印刷胴に適用することができる。
【発明を実施するための最良の形態】
【００３３】
以下に、本発明にかかる実施形態について、図面を参照して説明する。
［第一実施形態］
【００３４】
本発明の第１実施形態にかかる版締め装置について、図１及び図４を用いて説明する。
図１には、商業用又は新聞用オフセット輪転印刷機に適用される印刷胴１（版胴又はブランケット胴）の斜視図が示めされ、図２には印刷胴１のスリーブ胴に適用されえる版締め装置の断面図が示されている。
【００３５】
図１において、印刷胴１は、軸芯２と薄肉のスリーブ胴３とにより形成されている。なお、スリーブ胴３は軸芯２の端部から軸線方向にエアマウント等によりスライドさせて挿入され、軸芯２上に固定される。一般的なスリーブ胴３の厚さは、１５ｍｍ〜４０ｍｍ程度である。
スリーブ胴３表面には、軸線方向に沿って略一直線上にギャップ（溝）４が形成されている。このギャップ４内に可撓性の板状部材の端部を締め付けるための版締め装置が配置されている。
以下、本実施形態では、印刷胴１として版胴を用いて説明し、版胴１に締め付け固定される可撓性の板状部材として刷版（板状部材）を例に説明する。しかしながら、ゴムや樹脂等で形成されたゴムブランケットや金属製の薄板で形成されたメタルブランケットをブランケット胴に締め付ける装置にも適用可能である。
【００３６】
図２において、矢印で示すスリーブ胴３の回転方向（図において反時計回り）のギャップ４の上流側（図において右側）が咬え側５、下流側（図において左側）が咬え尻側６である。
このギャップ４内のスリーブ胴３には、スリーブ胴３の軸線方向に沿って貫通孔７が形成されている。この貫通孔７には、ほぼ同径の版締め装置８のテンションバー９が設けられている。このテンションバー９には、Ｖ字状の開口部を有する切欠部１０が形成され、スリーブ胴３の回転方向に対して上流側（図において右側）が保持面１１、下流側（図において左側）が押出し面１２である。
【００３７】
保持面１１には、テンションバー９の外周面側に傾斜部１３ａ及び１３ｂが形成されている。また、スリーブ胴３の咬え尻側端の内側面には、傾斜面１４が軸線方向にわたって形成されている。テンションバー９の一方の軸端部（操作側）には、図示しないキー溝が形成されており、このキー溝にレバー等の工具を差仕込んで操作することにより、テンションバー９を回動させる。その他、テンションバー９の駆動側軸端部に小型のモータを取り付け、モータを制御することにより自動で回動させるようにしてもよい。
テンションバー９の直径は、スリーブ胴３の胴厚よりも小さく形成され、例えば、約１０ｍｍ〜２０ｍｍ程度のＳＵＳ等の金属棒である。テンションバー９の切欠部１０は、機械加工等により形成される。
【００３８】
ギャップ４内の咬え側５とテンションバー９の外周面との間に刷版１５の咬え側端部１５ａが挿入される。また、テンションバー９の切欠部１０に刷版１５の咬え尻側端部１５ｂが挿入され、テンションバー９の保持面１１により、スリーブ胴の回転方向に押し付けられて固定される。
【００３９】
次に、本実施形態における版締め装置８の作用について、図３（ａ）〜（ｆ）を用いて説明する。
図３（ａ）〜（ｆ）は、可撓性の刷版１５をスリーブ胴３に固定する手順を示す断面図である。
【００４０】
まず、図３（ａ）に示すように、テンションバー９とスリーブ胴３の咬え側５との間に刷版１５の咬え側端部１５ａを挿入する。このとき、テンションバー９の傾斜面１３ｂにより、スリーブ胴３の咬え側５との間に形成される隙間が最大となるため、刷版１５の咬え側端部１５ａを容易に挿入することができる。
【００４１】
次に、図示しない版押さえローラにより刷版１５をスリーブ胴３の表面に押さえつけながら、スリーブ胴３を図３（ｂ）中の矢印方向（反時計方向）に回動させる。このとき、刷版１５の咬え側端部１５ａは、スリーブ胴３の咬え側５に引っ掛けられているため、スリーブ胴３の回動の際にギャップ４から外れることはない。
スリーブ胴３の咬え尻６近傍までスリーブ胴３を回転させると、図３（ｂ）に示すように、刷版１５の咬え尻側先端部１５ｂがスリーブ胴３の咬え尻６に当接する。しかしながら、スリーブ胴３の咬え尻６は、図中、点線で示される刷版１５の咬え尻側先端部１５ｂが描くインボリュート曲線よりわずかに大きく形成されているため、刷版１５の咬え尻側先端部１５ｂが咬え尻６によって押し広げられながらギャップ４内に挿入される。したがって、スリーブ胴３の咬え尻６と咬え尻側先端部１５ｂとの間に摩擦が生じることとなる。
【００４２】
図３（ｃ）に示すように、刷版１５の咬え尻側先端部１５ｂは、スリーブ胴３の咬え尻６によって点線で示すインボリュート曲線より押し広げられながらギャップ４内に挿入されるため、咬え尻側先端部１５ｂと咬え尻６との間には、摩擦による保持力が発生する。このため、刷版１５の咬え尻側先端部１５ｂをギャップ４内に挿入する際、ギャップ４内から刷版１５が抜け出すことがなく、図３（ｄ）に示すように、確実に刷版１５をギャップ４内に挿入することができる。
【００４３】
刷版１５の両端部がギャップ４内に挿入された後、図３（ｅ）に示すように、テンションバー９を図中矢印方向（反時計方向）へ回動させる。このとき、テンションバー９の外周面が刷版１５の咬え側先端部１５ａをスリーブ胴３の咬え側５へ押し付けることにより、刷版１５の咬え側先端部１５ａが固定される。
【００４４】
その後、図３（ｆ）に示すように、さらにテンションバー９を図中矢印方向（反時計方向）へ回動させることにより、刷版１５の咬え尻側先端部１５ｂがテンションバー９の保持面１１でスリーブ胴３の咬え尻６側へ押し付けられる。これにより、図中点線で示す刷版１５の咬え尻側先端部１５ｂの描くインボリュート曲線よりも咬え尻側先端部１５ｂが内側に締め付けられることとなる。このため、咬え尻側先端部１５ｂがギャップ４内から抜け出すことがなく、確実に刷版１５をスリーブ胴３の外周面に確実に固定することができる。
【００４５】
また、スリーブ胴３の咬え尻６内側面に形成された傾斜面１４が支点となり、テンションバー９の保持面１１に接する咬え尻側先端部１５ｂが作用点となって、てこの原理が働く。これにより、わずかな力でテンションバー９を回動させることができるとともに、刷版１５の咬え尻側先端部１５ｂを変形させて固定することができる。
【００４６】
このことは、切欠部１０の保持面１１と外周面との間に傾斜部１３ａが形成されていることにより顕著に現れる。つまり、保持面１１とテンションバー９の外周面とが略直角に交わった場合、保持面１１の半径方向の上方部が刷版１５の咬え尻側先端部１５ｂに当接することとなり、傾斜面（支点）１４と、テンションバー９と咬え尻側先端部１５ｂとの接点（作用点）との距離が短くなるからである。
【００４７】
本実施形態によれば、傾斜面（支点）１４と、テンションバー９と咬え尻側先端部１５ｂとの接点（作用点）を長くできるため、わずかな力でテンションバー９を回動させることができる。したがって、テンションバー９自体の剛性を低くでき、テンションバー９の直径を約１０ｍｍ程度とすることができる。したがって、肉厚が２０ｍｍ程度のスリーブ胴３にも適用することができる。
【００４８】
次に、版外し時におけるテンションバー９の作用について図４を用いて説明する。基本的にテンションバー９の動作手順については、刷版装着時と逆に行えばよい。
まず、テンションバー９を点線に示す状態から、図中矢印方向（時計方向）へ回動させると、実線で示すように切欠部１０の押出し面１２が刷版１５の咬え尻側先端部１５ｂに当接する。これにより、押出し面１２は、刷版１５の咬え尻側先端部１５ｂを図中一点鎖線で示すインボリュート曲線より外側（図において咬え側５）へ押し広げるように作用する。このため、刷版１５の咬え尻側先端部１５ｂとスリーブ胴３の咬え尻６側との摩擦が解除され、刷版１５自身の反発力により、ギャップ４内から簡単に外れることとなる。
【００４９】
そのとき、テンションバー９の傾斜部１３ａ、及び１３ｂが刷版１５の咬え側端部１５ａの位置になった際に、外周面と咬え側５との間での締め付け力が解除される。これにより、刷版１５の咬え側端部１５ａは、ギャップ４内から取り外される。
【００５０】
このように、テンションバー９の切欠部１０に保持面１１と押出し面１２とを形成したことにより、保持面１１で刷版１５の咬え尻側端部１５ｂをわずかに押えるだけで、刷版１５を固定することができる。また、刷版１５を取り外す際は、押出し面１２で刷版１５の咬え尻側端部１５ｂを押し広げるだけで、ギャップ４内から刷版１５の咬え尻側先端部１５ｂを容易に取り外すことができる。
さらには、スリーブ胴３の咬え尻側６端面を刷版１５の咬え尻側先端部１５ｂの描くインボリュート曲線よりも咬え側５にわずかに大きく形成したことにより、刷版１５の弾性力で咬え尻側６端面と刷版１５の咬え尻先端部１５ｂとの間に摩擦力が生じ、刷版１５をギャップ５内に挿入する際、版抜けすることなく確実に挿入することができる。
【００５１】
〔第二実施形態〕
次に、本発明の第２実施形態にかかる版締め装置について、図５〜図９（ｂ）を用いて説明する。図５は、本実施形態にかかる版締め装置を備えた版胴２１の斜視図を示し、図６（ａ）は版締め装置の上面図を示し、図６（ｂ）は、図６（ａ）のＸ視した断面図を示している。
【００５２】
図５において、印刷胴２１は、軸芯２２と薄肉のスリーブ胴２３とにより形成されている。スリーブ胴２３は軸芯２２の端部から軸線方向にエアマウント等によりスライドさせて挿入され、軸芯２２上に固定される。スリーブ胴２３の厚さは、１５ｍｍ〜４０ｍｍ程度である。
スリーブ胴２３の外表面には、軸線方向に沿って略一直線上のギャップ（溝）２４が形成されている。このギャップ２４内に可撓性の刷版（板状部材）の端部を締め付けるための版締め装置が配置されている。
【００５３】
図６（ａ）及び（ｂ）において、版締め装置は、刷版の両端部をギャップ２４内に固定する固定手段３４と、軸線方向に移動して固定手段３４を半径方向に押し上げる押上げ手段２７と、押上げ手段２７を軸線方向へ引っ張ったり締め付けたり、緩めたりする移動手段３６とにより構成されている。また、固定手段３４は、軸線方向に複数に分割されて形成されている。なお、本実施形態において固定手段３４は、１つの分割ピースに２個の押上げ手段２７が設けられている。
【００５４】
図７（ａ）及び（ｂ）に示すように、押上げ手段２７は、ギャップ２４内に形成された溝部２８の軸線方向にわたって配置された引張ワイヤー２９と、この引張ワイヤー２９により軸線方向に移動するスライドプレート３０と、このスライドプレート３０と軸線方向で当接するバネ３１と、引張ワイヤー２９に一体的に設けられ、バネ３１を軸線方向に押圧するブロック体３２とにより構成されている。また、スライドプレート３０の半径方向上面には、スリーブ胴２３の操作側（図中左側）から駆動側（図中右側）に向かって勾配３０ａが形成されている。
【００５５】
なお、図６（ｂ）に示すように、スライドプレート３０とバネ３１の中心付近には、引張ワイヤー２９を挿通させるための貫通孔３３が形成されている。引張ワイヤー２９の駆動側軸端は、印刷胴２３の駆動側非印刷部２３ａの端部に配置されたカラー４０に固定され、バネ３１、ブロック体３２を介して非印刷部２３ａに配置されたバネ座４５で支持されている。
また、移動手段３６は、図６（ａ）及び（ｂ）に示すように、スリーブ胴２３の操作側の非印刷部２３ａにボルト等で固定されており、ギャップ２４と略同軸線上に球体３７が位置するように取り付けられている。
【００５６】
図８は、図６（ｂ）のＹ視した断面図を示す。固定手段３４は、図８に示すように、その横断面がギャップ２４に向かって先細りとなった略三角形状に形成されており、その下面３４ａは、スライドプレート３０上面の勾配３０ａと係合する勾配が形成されている。固定手段３４の両側面３４ｂとスリーブ胴２３の内側面２５ａ、２６ａとの間に刷版３５の両端部３５ａ、３５ｂが挿入され、押上げ手段２７によって固定手段３４が半径方向上方に押し上げられ、刷版３５を固定するようになっている。図中、実線は、固定手段３４が押し上げられ、版締めの状態を示し、二点鎖線は、固定手段３４が下降して緩んだ状態を示している。
【００５７】
移動手段３６は、図９（ａ）に示すように、引張ワイヤー２９の一端を固定する球体３７と、この球体３７を収容し回し金４３が取り付けられた回転可能なガイド３８と、ガイド３８の回転位置を位置決めするためのストッパ３９とにより構成されている。このガイド３８は、凸状の横断面を有し（図９（ｂ）参照）、半径方向上方の凸部４１にはキー溝４２が形成されている。また、ガイド３８の外周面の一部が扇形３８ａに形成されており、この扇形３８ａの端部３８ｂにストッパ３９が当接することにより、ガイド３８の位置決めが行われる。
【００５８】
図９（ｂ）は、図９（ａ）をＺ視した断面図である。図９（ｂ）に示すように、ガイド３８の扇形３８ａに形成された外周部には、球体３７を固定するための回し金４３が組み込まれている。さらに、ガイド３８の側面には、ガイド３８を回転させる際に、引張ワイヤー２９が挿通するためのスリット４４が形成されている。
【００５９】
次に、本実施形態における版締め装置の作用について図６（ａ）〜図９（ｂ）を用いて説明する。
まず、図８において、ギャップ２４の咬え側（図中、右側）２５に刷版３５の咬え側端部３５ａを引っ掛けて、図示しない版押さえローラで刷版３５をスリーブ胴２３の外表面に押さえつけながら図中、矢印方向（時計方向）にスリーブ胴２３を回動させる。スリーブ胴２３を約１回転させると、刷版３５の咬え尻側端部３５ｂがギャップ２４の咬え尻側２６に挿入される。
【００６０】
ギャップ２４内に刷版３５の両端部が挿入された後、キー溝に挿入した工具により、図９（ａ）の矢印方向へガイド３８を約１９０度（ガイド３８回転のデッドポイントを超える角度、本図では１８０度以上）、つまり点線の位置から実線に示す位置まで回転させる。この際、図６（ｂ）に示すように、引張ワイヤー２９の駆動側は、バネ３２を介してカラー４０に固定されているため、引張ワイヤー２９が操作側（図中、左側）へ引っ張られると、駆動側（図中、右側）へ戻ろうとする力が働く。この戻ろうとする力によってガイド３８がデッドポイントを超えてさらに回転し、図９（ａ）の実線で示すように、ガイド３８の扇形３８ａの端部３８ｂがストッパ３９に当接して位置決めされる。
【００６１】
このように移動手段３６を回動させることにより、図７（ａ）及び（ｂ）に示すように、引張ワイヤー２９を操作側へ引っ張ることで、引張ワイヤー２９に一体的に設けられたブロック体３２がバネ３１を介してスライドプレート３０を軸線方向に押す。なお、スライドプレート３０等の関連部材の製作誤差等により、スライドプレート３０の勾配３０ａと固定手段３４の勾配３４ａとが確実に位置合せされず、スリーブ胴２３の軸線方向で押上げ量にばらつきが生じ、刷版３５の両端部３５ａ,３５ｂの押付け力に大きなばらつきがでるこことなる。このばらつきを解消するため、スライドプレート３０とブロック体３２との間にバネ３１を介在させ、製作誤差等による固定手段３４の押上げ量の違いで生じる押上げムラを小さくする。これによって、スライドプレート３０で軸線方向にほぼ均一な締め付け力を固定手段３４へ付与することが可能となる。
【００６２】
また、図８に示すように、固定手段３４の側面３４ａと咬え尻側２６の内側面２６ａとにより形成される間隙が、図中一点鎖線で示す咬え尻側端部３５ａの先端部が描くインボリュート曲線よりも外側（図中右側）にくるよう形成されている。このため、刷版３５の咬え尻側端部３５ａがインボリュート曲線より内側（図中左側）に曲げられることとなる。したがって、刷版３５を固定手段３４で固定した後、刷版３５自身の弾性力によってギャップ２４から外れることがない。
【００６３】
このように、スライドプレート３０が操作側へ移動することにより、スライドプレート３０上面の勾配３０ａに沿って、固定手段３４が半径方向上方へ移動することにより、固定手段３４の両側面３４ｂとスリーブ胴２３のギャップ２４内側面２５ａ及び２６ａとの間で刷版３５の両端部３５ａ、３５ｂが固定される。
【００６４】
なお、刷版３５を取り外す際には、移動手段３６（図６（ａ）参照）を刷版３５の装着時とは逆方向に回転させることにより、図７（ｂ）において、ブロック体３２が引張りワイヤー２９により駆動側へ移動する。このとき、スライドプレート３０が操作側のブロック体３２により駆動側へ押されるため、固定手段３４の下面３４ａとの係合が外れ、固定手段３４は自重で下降することとなる。これにより、刷版３５の両端部の締め付けが解除され、公知の吸着盤などで刷版３５を吸着させて引っ張ることで刷版３５の取り外しが行われる。
【００６５】
このように、軸線方向の移動を半径方向の移動に変換し、刷版３５の締め付け、及び緩めができるため、ギャップ２４とほぼ同じ深さで版締め装置を設置できる。このため、半径方向に対して取付けスペースのない薄肉のスリーブ胴２３に対して特に有利に設置することができる。また、スライドプレート３０に形成した勾配３０ａによって固定手段３４を半径方向に移動させるため、移動手段３６の回転に要する力に比べ、固定手段２７の刷版３５押付け力を大きくすることができる。さらに、スライドプレート３０をバネ３１を介してブロック体３２で押圧しているため、スリーブ胴２３の回転衝撃などにより押上げ手段２７が緩むことがない。
【図面の簡単な説明】
【００６６】
【図１】本発明の第１実施形態における印刷胴の斜視図が示されている。
【図２】本発明の第１実施形態におけるスリーブ胴に適用された版締め装置の断面図が示されている。
【図３】本発明の第１実施形態における版締め装置の断面図を示し、図３（ａ）〜（ｆ）は、刷版の取り付け手順を説明するための断面図である。
【図４】本発明の第１実施形態における刷版の取り外し手順を説明するための断面図である。
【図５】本発明の第２実施形態における印刷胴の斜視図が示されている。
【図６】本発明の第２実施形態におけるスリーブ胴を示し、図６（ａ）はスリーブ胴の平面図、図６（ｂ）は断面図である。
【図７】本発明の第２実施形態におけるスリーブ胴の縦断面図を示し、図７（ａ）は締付状態、図７（ｂ）はゆるめた状態を示す。
【図８】本発明の第２実施形態における固定手段の構成を示す横断面図である。
【図９】本発明の第２実施形態における移動手段の構成を示し、図９（ａ）は平面図、図９（ｂ）は断面図である。
【符号の説明】
【００６７】
１，２１  印刷胴（版胴、ブランケット胴）
２，２２  軸芯
３，２３  スリーブ胴
４，２４  ギャップ
５，２５  咬え側
６，２６  咬え尻
８  版締め装置
９  テンションバー
１０  切欠部
１１  保持面
１２  押出し面
１３  傾斜部
１４  傾斜面
１５  刷版
２７  押上げ手段
２９  引張ワイヤー
３０  スライドプレート
３１  ブロック体
３２  バネ（弾性体）
３４  固定手段
３６  移動手段
【図１】
2006175736.tif 000003
【図２】
2006175736.tif 000004
【図３】
2006175736.tif 000005
【図４】
2006175736.tif 000006
【図５】
2006175736.tif 000007
【図６】
2006175736.tif 000008
【図７】
2006175736.tif 000009
【図８】
2006175736.tif 000010
【図９】
2006175736.tif 000011